(57)【特許請求の範囲】
【請求項１】
地上波放送と、同地上波放送に割り当てられた各搬送周波数を含むとともに同地上波放送に割り当てられていない特定周波数帯域にも搬送周波数が割り当てられたケーブルテレビ放送とに対応し、所望周波数の信号を受信して視聴可能なテレビジョン放送受信装置において、
地上波放送の放送信号が入力されるアンテナと、
ケーブルテレビ放送の放送信号が入力される同軸ケーブルと、
上記アンテナと同軸ケーブルとのいずれかから入力される放送信号を所望の搬送周波数に同調させつつ選局して中間周波信号を出力するチューナと、
上記中間周波信号の信号強度に応じたＡＧＣ電圧を取得し、同ＡＧＣ電圧に基づく増幅率によって同中間周波信号を増幅する中間周波増幅回路と、
増幅された中間周波信号に基づいて上記ＡＧＣ電圧を出力するＡＧＣ回路と、
選局が可能なチャンネル番号と搬送周波数とが対応付けられて記憶される半導体メモリと、
所定の信号制御処理を実行するとともに、Ａ／Ｄポートを介して上記ＡＧＣ電圧をデジタル信号として入力され、上記地上波放送と上記ケーブルテレビ放送のチャンネルプランが記憶されるマイコンとを備え、
上記マイコンは、
上記搬送周波数のそれぞれに対して選局同調を試みるチャンネルサーチを行い、
上記チャンネルサーチによって発見された放送局のうちＶＨＦ帯の放送局の搬送周波数に基づいてスプリアスとなる可能性のある周波数であるところの算出スプリアスを算出し、
上記チャンネルサーチによって発見された安定して受信できる放送局の中に上記特定周波数帯域に該当する搬送周波数のチャンネルが存在するか否かを判断し、該当するチャンネルが存在しない場合は地上波放送を受信していると判断し、上記地上波放送のチャンネルプランに基づいて上記半導体メモリにチャンネル番号と搬送周波数とを記憶させ、該当するチャンネルが存在する場合は上記算出スプリアスと一致するか否かを判断し、いずれの算出スプリアスにも一致しないときはケーブルテレビ放送を受信していると判断し、上記ケーブルテレビ放送のチャンネルプランに基づいて上記半導体メモリにチャンネル番号と搬送周波数と記憶させ、いずれかの算出スプリアスに一致するときは上記ＡＧＣ電圧に基づいて放送信号の強度を判断し、信号強度が十分である場合はケーブルテレビ放送のチャンネルプランに基づいてチャンネル番号と搬送周波数と上記半導体メモリに記憶させ、信号強度が不十分である場合は地上波放送のチャンネルプランに基づいてチャンネル番号と搬送周波数とを上記半導体メモリに記憶させる
ことを特徴とするテレビジョン放送受信装置。
【請求項２】
所定の搬送周波数が割り当てられた第１の放送形態と、同第１の放送形態に割り当てられた各搬送周波数を含むとともに同第１の放送形態に割り当てられていない特定周波数帯域にも搬送周波数が割り当てられた第２の放送形態とに対応し、所望周波数の信号を受信可能な放送形態判断装置において、
受信可能な周波数をサーチする周波数サーチ手段と、
上記第１の放送形態と上記第２の放送形態のチャンネル情報が記憶されたチャンネル情報記憶手段と、
スプリアスとなる可能性のある周波数であるスプリアス周波数を上記周波数サーチ手段のサーチ結果に基づいて上記特定周波数帯において算出するスプリアス算出手段と、
上記スプリアス周波数の中に上記周波数サーチ手段のサーチ結果と一致する周波数が無い場合は受信中の放送形態を上記第２の放送形態と判断し、上記スプリアス周波数の中に上記周波数サーチ手段のサーチ結果と一致する周波数が有り且つ該周波数の信号強度が所定の閾値以下の場合は受信中の放送形態を上記第１の放送形態と判断し、上記スプリアス周波数の中に上記周波数サーチ手段のサーチ結果と一致する周波数が有り且つ該周波数の信号強度が所定の閾値より大きい場合は受信中の放送形態を上記第２の放送形態と判断する放送形態判断手段と、
上記放送形態判断手段にて判断された放送形態に対応する上記チャンネル情報に基づいてチャンネル情報を設定する局設定手段と
を備えることを特徴とする放送形態判断装置。
【請求項３】
上記スプリアス算出手段は、上記周波数サーチ手段にて検出された受信可能とされた周波数のうち、上記特定周波数帯域よりも低い周波数に基づいてスプリアス周波数を算出することを特徴とする請求項２に記載の放送形態判断装置。
【請求項４】
上記スプリアス算出手段は、上記周波数サーチ手段にて検出された受信可能とされた周波数のうち、映像信号の周波数により生じるスプリアス周波数を算出することを特徴とする請求項２または請求項３に記載の放送形態判断装置。
【請求項５】
上記スプリアス算出手段は、上記周波数サーチ手段にて検出された受信可能とされた周波数のうち、映像信号の周波数と音声信号の周波数とにより生じるスプリアス周波数を算出することを特徴とする請求項２〜請求項４のいずれか１項に記載の放送形態判断装置。
【請求項６】
上記スプリアス算出手段は、上記周波数サーチ手段にて検出された受信可能とされた周波数のうち、音声信号の周波数により生じる和差スプリアス周波数は算出しないことを特徴とする請求項２〜請求項５のいずれか１項に記載の放送形態判断装置。
【発明の詳細な説明】
【技術分野】
【０００１】
本発明は、放送形態判断装置およびテレビジョン放送受信装置に関し、特に異なる２つの放送形態に対応して放送信号を受信可能な放送形態判断装置およびテレビジョン放送受信装置に関する。
【背景技術】
【０００２】
ＴＶ（地上波アナログや地上波デジタル）放送とＣＡＴＶ（ケーブルテレビ）放送とを、選択的に受信可能なテレビジョン放送受信装置が提供されている。このようなテレビジョン放送受信装置では、チャンネルプリセットを行うにあたり、ＴＶ放送を受信しているかＣＡＴＶ放送を受信しているかを判別する必要がある。従来は、チャンネルプリセット時のチャンネルオートサーチ時に、１２０〜３００ＭＨｚ内に局が複数検出された場合にＣＡＴＶ放送と受信していると判断するなどの方法にて判別が行われていた。
【０００３】
また、特許文献１には、ＴＶ放送およびＣＡＴＶ放送の各チャンネルプランに含まれる全周波数帯域を略連続的にサーチして、各チャンネルプランに割り当てられたチャンネル周波数に放送局が有るか無いかを判断し、局有りと判断したその局のチャンネル周波数がセンター周波数から一定の周波数範囲内であるか否かを判断し、一定の周波数範囲内である場合にはその局の属するチャンネルプランの局有りチャンネル数をカウントアップするといった処理を行い、カウントされたＴＶのチャンネル数とＣＡＴＶのカウント数とを比較し、ＴＶのカウント数がＣＡＴＶのカウント数より大きいか等しい場合には、ＴＶモードであると判別し、ＴＶのカウント数がＣＡＴＶのカウント数より小さい場合には、ＣＡＴＶモードであると判別することが開示されている。
【０００４】
そして、特許文献２には、ＴＶ放送のチャンネルプランのカウント数がＣＡＴＶ放送のチャンネルプランのカウント数より小さい場合には、さらに局有りと判断されたチャンネルの中に連続するチャンネルが有るか否かを判別し、連続するチャンネルが有る場合にのみＣＡＴＶチャンネルプランモードであると判別し、また、局有りと判断されたチャンネルの中に連続するチャンネルが無い場合には、さらに誤差データのチャンネルの中に連続するチャンネルが有るか否かを判別し、連続するチャンネルが有る場合にはＣＡＴＶチャンネルプランモードであると判別することが開示されている。
【特許文献１】実登３０６８４２８号
【特許文献２】実登３０６８７０２号
【発明の開示】
【発明が解決しようとする課題】
【０００５】
しかしながら、地域によっては強電界局が存在することがあり、このような１つ又は２つ以上の強電界局が存在する地域（例えば都心部）においてＴＶ放送を受信すると、チューナ部で歪みが発生することがあった。すると、正規チャンネル以外のチャンネルで放送が受信される（スプリアス受信）こととなり、このようなスプリアスの発生により、ＴＶ放送を受信しているにも関わらず、ＣＡＴＶ放送しか放送されないチャンネルにスプリアスが発生することがあった。このスプリアスは同期信号を含むため、ＴＶ放送を受信しているにも拘らずＣＡＴＶ放送を受信していると誤判定することが、稀に発生していた。
【０００６】
本発明は、上記課題にかんがみてなされたもので、ＣＡＴＶ放送とＴＶ放送などの異なる２つの放送形態に対応した放送形態判断装置およびテレビジョン放送受信装置において、スプリアスが存在する地域においても、放送形態を誤判定しないようにすること目的とする。
【課題を解決するための手段】
【０００７】
上記目的を達成するために、本発明の放送形態判断装置では、所定の搬送周波数が割り当てられた第１の放送形態と、同第１の放送形態に割り当てられた各搬送周波数を含むとともに同第１の放送形態に割り当てられていない特定周波数帯域にも搬送周波数が割り当てられた第２の放送形態とに対応し、所望周波数の信号を受信可能な放送形態判断装置において、受信可能な周波数をサーチする周波数サーチ手段と、上記第１の放送形態と上記第２の放送形態のチャンネル情報が記憶されたチャンネル情報記憶手段と、スプリアスとなる可能性のある周波数であるスプリアス周波数を上記周波数サーチ手段のサーチ結果に基づいて上記特定周波数帯において算出するスプリアス算出手段と、上記スプリアス周波数の中に上記周波数サーチ手段のサーチ結果と一致する周波数が無い場合は受信中の放送形態を上記第２の放送形態と判断し、上記スプリアス周波数の中に上記周波数サーチ手段のサーチ結果と一致する周波数が有り且つ該周波数の信号強度が所定の閾値以下の場合は受信中の放送形態を上記第１の放送形態と判断し、上記スプリアス周波数の中に上記周波数サーチ手段のサーチ結果と一致する周波数が有り且つ該周波数の信号強度が所定の閾値より大きい場合は受信中の放送形態を上記第２の放送形態と判断する放送形態判断手段と、上記放送形態判断手段にて判断された放送形態に対応する上記チャンネル情報に基づいてチャンネル情報を設定する局設定手段とを備える構成としてある。
該構成において、周波数サーチ手段は、複数の放送形態にて送信される放送信号を受信可能になっており、各放送形態の搬送周波数に順に同調させつつ受信可能な周波数の有無を検出可能となっている。チャンネル情報記憶手段には、上記第１の放送形態と上記第２の放送形態のチャンネル情報が記憶され、同チャンネル情報としてはチャンネル番号や搬送周波数、ＲＦ−ＡＧＣ電圧、ＩＦ−ＡＧＣ電圧等の情報と、それぞれの対応関係などとなる。放送形態判断手段は特定周波数帯域における受信可能な周波数の有無やスプリアスの有無にて放送形態を判断するものである。スプリアスとしては高調波、低調波、和信号、差信号、などであり、放送信号の歪み成分に由来するものである。局設定手段では上記放送形態判断手段にて判断された放送形態に基づいて、上記受信可能な周波数のうち放送形態に合致するものをチャンネル情報としてテレビジョン放送受信装置に設定する。
【０００８】
また、上記放送形態判断手段は、上記周波数サーチ手段にて受信可能とされた周波数を基にスプリアス周波数を算出するスプリアス算出手段と、上記スプリアス周波数と上記受信可能とされた周波数とを上記特定周波数帯域において比較する周波数比較手段と、上記周波数比較手段にて周波数が一致した周波数を仮受信して放送信号の有無を判断する局有無判断手段と、を備え、いずれの放送形態であるかを判断する構成としてもよい。
すなわち、スプリアス算出手段は、上記周波数サーチ手段にて受信可能とされた周波数を基にスプリアス周波数を算出する。算出の方法としては、上記受信可能とされた周波数のうち、高調波については特定周波数帯域よりも低い周波数をもとに整数倍することにより求め、低調波については特定周波数帯域よりも高い周波数を元に整数分の１倍することにより求め、和信号と差信号は受信可能とされた周波数と高調波と低調波とを組み合わせてそれぞれ和と差とを取ったものである。周波数比較手段は算出された上記スプリアス周波数と上記受信可能とされた周波数とを比較し、一致するものが無ければ特定周波数領域に放送信号が存在するものとして放送形態判断手段にて放送形態が判断される。一方で一致するものがあるときは、局有無判断手段が上記周波数比較手段にて周波数が一致した周波数を仮受信して同周波数に放送信号が存在するか否かを判断する。
【０００９】
さらに、上記局有無判断手段は、上記周波数が一致した周波数の信号強度にて放送信号の有無を判断する構成としてもよい。
信号強度を表す情報としては、例えば、ＡＧＣ回路などのゲインコントロールを行う際に生成されるＡＧＣ電圧等から得ることが可能である。むろん、ＡＧＣ回路などにて信号のゲインコントロールを行い、信号強度が所定の閾値以下の信号をスプリアスと判断しても構わない。
【００１０】
さらに、上記スプリアス算出手段は、上記周波数サーチ手段にて検出された受信可能とされた周波数のうち、上記特定周波数帯域よりも低い周波数のスプリアス周波数を算出する構成としてもよい。
該構成において、スプリアス算出手段は上記特定周波数帯域よりも低い周波数を元にスプリアス周波数を算出する。すなわち、低い周波数を元に計算するため、特定周波数帯域に合致するスプリアス周波数は高調波や和信号が主となる。つまり、スプリアス周波数は一般に低調波や差信号は高調波や和信号よりも弱くなる傾向があるため低調波や差信号は計算せず、高調波と和信号だけをスプリアス周波数としても本発明の目的を達することが可能である。これにより低調波と差信号のスプリアスを算出する必要が無くなる。  
【００１１】
さらに、上記スプリアス算出手段は、上記周波数サーチ手段にて検出された受信可能とされた周波数のうち、映像信号の周波数により生じるスプリアス周波数を算出する構成としてもよい。
すなわち、放送信号には映像信号と音声信号とが存在するが、映像信号に比べて音声信号は信号強度が弱い為、映像信号が元になるスプリアス周波数のみを上記スプリアス周波数とする構成とした。これにより映像信号に由来しないスプリアス周波数を計算する必要が無くなる。
【００１２】
さらに、上記スプリアス算出手段は、上記周波数サーチ手段にて検出された受信可能とされた周波数のうち、映像信号の周波数と音声信号の周波数とにより生じるスプリアス周波数を算出する構成としてもよい。
すなわち、映像信号と音声信号とが元と成るスプリアス周波数を算出することを明確にした。
【００１３】
さらに、上記スプリアス算出手段は、上記周波数サーチ手段にて検出された受信可能とされた周波数のうち、音声信号の周波数により生じる和差スプリアス周波数は算出しない構成としてもよい。
すなわち、音声信号同士により生じる和差スプリアス周波数は算出しないことを明確にした。
【００１４】
以上の構成を踏まえた上で、本発明の請求項１にかかる発明では、地上波放送と、同地上波放送に割り当てられた各搬送周波数を含むとともに同地上波放送に割り当てられていない特定周波数帯域にも搬送周波数が割り当てられたケーブルテレビ放送とに対応し、所望周波数の信号を受信して視聴可能なテレビジョン放送受信装置において、地上波放送の放送信号が入力されるアンテナと、ケーブルテレビ放送の放送信号が入力される同軸ケーブルと、上記アンテナと同軸ケーブルとのいずれかから入力される放送信号を所望の搬送周波数に同調させつつ選局して中間周波信号を出力するチューナと、上記中間周波信号の信号強度に応じたＡＧＣ電圧を取得し、同ＡＧＣ電圧に基づく増幅率によって同中間周波信号を増幅する中間周波増幅回路と、増幅された中間周波信号に基づいて上記ＡＧＣ電圧を出力するＡＧＣ回路と、選局が可能なチャンネル番号と搬送周波数とが対応付けられて記憶される半導体メモリと、所定の信号制御処理を実行するとともに、Ａ／Ｄポートを介して上記ＡＧＣ電圧をデジタル信号として入力され、上記地上波放送と上記ケーブルテレビ放送のチャンネルプランが記憶されるマイコンとを備え、上記マイコンは、上記搬送周波数のそれぞれに対して選局同調を試みるチャンネルサーチを行い、上記チャンネルサーチによって発見された放送局のうちＶＨＦ帯の放送局の搬送周波数から算出スプリアスを算出し、上記チャンネルサーチによって発見された安定して受信できる放送局の中に上記特定周波数帯域に該当する搬送周波数のチャンネルが存在するか否かを判断し、該当するチャンネルが存在しない場合は地上波放送を受信していると判断し、上記地上波放送のチャンネルプランに基づいて上記半導体メモリにチャンネル番号と搬送周波数とを記憶させ、該当するチャンネルが存在する場合は上記算出スプリアスと一致するか否かを判断し、いずれの算出スプリアスにも一致しないときはケーブルテレビ放送を受信していると判断し、上記ケーブルテレビ放送のチャンネルプランに基づいて上記半導体メモリにチャンネル番号と搬送周波数と記憶させ、いずれかの算出スプリアスに一致するときは上記ＡＧＣ電圧に基づいて放送信号の強度を判断し、信号強度が十分である場合はケーブルテレビ放送のチャンネルプランに基づいてチャンネル番号と搬送周波数と上記半導体メモリに記憶させ、信号強度が不十分である場合は地上波放送のチャンネルプランに基づいてチャンネル番号と搬送周波数とを上記半導体メモリに記憶させる構成としてある。
【発明の効果】
【００１５】
以上説明したように本発明によれば、強電界局が存在する地域で地上波放送を受信しても、チューナ部などにて生じるスプリアスによってケーブルテレビ放送を受信していると誤判断されることが無くなり、受信情報がより正確な放送形態判断装置提供することが可能となる。これにより、プリセットが正確に行えるようになるため、プリセットされたチャンネルの整理などをする必要が無くなり、ユーザの利便性が向上する。
そして請求項３にかかる発明によれば、スプリアスのみならず信号強度によっても判断する為、放送形態をより適切に判断することが可能となり、余分な選局動作を省くことが出来る。
さらに請求項４〜７にかかる発明によれば、算出するべきスプリアスを限定しつつ、限定する以前と同等の効果を得られる為、スプリアス算出およびスプリアスとの比較に要する処理を少なくすることができる。
さらに請求項１のような、より具体的な構成において、上述した請求項２〜請求項７の各発明と同様の作用を奏することはいうまでもない。
【発明を実施するための最良の形態】
【００１６】
以下、下記の順序に従って本発明の実施形態を説明する。
（１）テレビジョン放送受信装置の構成：
（２）放送形態について：
（３）スプリアス算出および判定の方法について：
（４）オートプリセットを行うマイコンの処理：
（５）まとめ：
【００１７】
（１）テレビジョン放送受信装置の構成： 
以下、本発明の実施形態について、図面を参照して説明する。図１は、本発明の第一の実施形態にかかる放送形態判断装置を適用して所望周波数の信号を受信して視聴可能なテレビジョン放送受信装置を概略ブロック図により示しており、本実施形態においてはチャンネルオートプリセットにおいて放送形態の判断が実行される。なお、同図においては図の簡略化のため、映像信号の処理系統のみを示すものとする。
同図において、テレビジョン放送受信装置１００は、概略、チューナ１０と中間周波増幅回路１２と映像検波回路１４と映像信号処理回路１６とＡＧＣ回路１８と半導体メモリ２２とマイコン２０とから構成されている。
【００１８】
同図において、チューナ１０は、放送信号の入力源として地上波放送を受信するＵ／Ｖアンテナ１０ａまたはケーブルテレビ（ＮＯＲＭＡＬ）同軸ケーブル１０ｂのいずれか一方を接続可能であり、両者のテレビ放送帯域に対応して所望周波数の信号に同調しつつ受信するとともに、受信した信号から所要の信号だけを選択して高周波増幅し、中間周波信号に変換して出力する。本実施形態におけるチューナ１０は、いわゆるＰＬＬ方式の選局機構を採用しており、後述するマイコン２０から入力される所定の周波数データに基づいて局部発振周波数を直接的に制御することにより受信周波数を制御し、所望周波数の信号を受信可能となっている。
【００１９】
チューナ１０から出力された中間周波信号は、中間周波増幅回路１２に入力され、後述するＡＧＣ回路１８から入力されるＩＦ−ＡＧＣ電圧に基づいて適正な利得で中間周波増幅される。映像検波回路１４は、中間周波増幅回路より出力される中間周波信号の映像検波を行い、その検波出力に基づいて所定の色復調処理が施されて復号映像信号を出力する。
【００２０】
チューナ１０が生成した中間周波信号の信号強度は、入力したテレビ電波の状態に応じてチャンネルごとに様々である。そのため、チューナ１０と中間周波増幅回路１２のいずれかまたは組み合わせにて信号強度が調整される。すなわち、チューナ１０において中間周波信号を増幅する際の増幅率はＲＦ−ＡＧＣ電圧に基づいて制御され、中間周波増幅回路１２において中間周波信号を増幅する際の増幅率はＩＦ−ＡＧＣ電圧に基づいて制御される。
【００２１】
ＡＧＣ回路１８は映像検波回路１４から出力された中間周波信号である複合映像信号を取得し、同複合映像信号に応じたＲＦ−ＡＧＣ電圧およびＩＦ−ＡＧＣ電圧を生成する。具体的には、複合映像信号の信号強度が強い場合にはＲＦ−ＡＧＣ電圧およびＩＦ−ＡＧＣ電圧を低下させ、複合映像信号の信号強度が弱い場合にはＲＦ−ＡＧＣ電圧およびＩＦ−ＡＧＣ電圧を上昇させる。本実施例においては、ＩＦ−ＡＧＣ電圧およびＲＦ−ＡＧＣ電圧は、０〜５Ｖの間で調整される。
【００２２】
このように、チューナ１０に対するフィードバック制御と中間周波増幅回路１２に対するフィードバック制御とのいずれかまたは組み合わせによって中間周波信号や複合映像信号の信号強度を理想的な値に収束させることができる。
【００２３】
一方、映像検波回路１４から出力された複合映像信号は、映像信号処理回路１６に入力される。複合映像信号は輝度信号と搬送色信号と同期信号とが合成された複合波であるが、映像信号処理回路１６では複合映像信号を上記各信号に分離する処理を行い、ＣＲＴに出力する。また、映像信号処理回路１６には同期分離回路１６ａが備えられており、同期分離回路１６ａにて垂直同期信号や水平同期信号が抽出されてＣＲＴに出力される。なお、同期分離回路１６ａにて検出された同期信号は、同期検出信号がマイコン２０に出力される。
【００２４】
マイコン２０は、バス２０ｄによって接続されたＣＰＵ２０ａとＲＯＭ２０ｂとＲＡＭ２０ｃとから構成されており、バス２０ｄにはＡ／Ｄポート２０ｅが接続されている。ＣＰＵ２０ａはＲＯＭ２０ｂに記憶された制御プログラムを読み出して、ＲＡＭ２０ｃをワークエリアとして利用しながら同制御プログラムに準じた処理を実行し、テレビジョン放送受信装置１００の各部の信号制御処理を行う。ＲＯＭ２０ｂには地上波放送用のチャンネルデータ２０ｂ１とケーブルテレビ放送用のチャンネルデータ２０ｂ２とが記憶されており、各チャンネルデータ２０ｂ１，２０ｂ２には搬送周波数とチャンネル番号との対応関係が格納されている。Ａ／Ｄポート２０ｅにはＲＦ−ＡＧＣ電圧が入力される。ＲＦ−ＡＧＣ電圧は所定の範囲で推移する直流電圧であり、Ａ／Ｄポート２０ｅを介することにより、同直流電圧の電圧値に応じたデジタル信号に変換される。
【００２５】
図２は、チャンネルデータ２０ｂ１，２０ｂ２に記憶される内容を示しており、チャンネルデータ２０ｂ１にはチャンネル番号（ＣＨＮＬ  ＩＮＤ）と地上波放送（ＴＶ）の搬送周波数とが、チャンネルデータ２０ｂ２にはチャンネル番号（ＣＨＮＬ  ＩＮＤ）とケーブルテレビ放送（ＣＡＴＶ）の搬送周波数とが、それぞれ記憶されている。つまり、チャンネルデータ２０ｂ１には地上波放送の搬送周波数とチャンネル番号との対応関係が格納され，チャンネルデータ２０ｂ２にはケーブルテレビ放送の搬送周波数とチャンネル番号との対応関係が格納される。すなわち、地上波放送とケーブルテレビ放送とでは搬送周波数に対応するチャンネル番号や放送局が全く異なるため、それぞれ個別に用意される。従って、ＲＯＭ２０ｂが上記第一の放送形態と上記第二の放送形態のチャンネル情報が記憶されたチャンネル情報記憶手段を構成する。
【００２６】
半導体メモリ２２はマイコン２０の外部に接続されており、チャンネルデータテーブルＴ１が記憶されている。チャンネルデータテーブルＴ１には、各チャンネル番号と搬送周波数を表す情報とに対応付けられている。むろん、各チャンネルに対応してＲＦ−ＡＧＣ電圧やＩＦ−ＡＧＣ電圧、放送局やチャンネル番号等の情報も記憶させる構成としても構わない。
【００２７】
マイコン２０は、図示しない操作パネルやリモコン３０の操作によって選局の指示を受け付けると、同指示されたチャンネルに対応した搬送周波数を表す情報をチャンネルデータテーブルＴ１から取得し、同情報をチューナ１０に設定する制御信号を出力する。これにより、選局を指示されたチャンネルのテレビ電波をチューナ１０にて受信することができる。
【００２８】
（２）放送形態について： 
図２は地上波放送とケーブルテレビ放送とのチャンネルプランを示しており、各放送形態に対するチャンネル番号（ＣＨＮＬ ＩＮＤ）と周波数および送信される局名および局ＩＤを示している。同図に示すように、地上波放送とケーブルテレビ放送などのように放送形態が異なると一般にチャンネルプランが異なるため、マイコン２０は受信しようとする放送形態に応じて対応する周波数データを送出する必要がある。そこで、本実施形態においては、地上波放送とケーブルテレビ放送とにおいてチャンネル番号に対応させた周波数を半導体メモリ２２に記憶している。そして、プリセットによって判断された放送形態に対応するチャンネルプランを選択し、選局制御に利用する構成としてある。
【００２９】
一方、地上波放送であるかケーブルテレビ放送であるかにかかわらず、各搬送周波数に現実に放送信号が存在するとは限らないため、本実施形態においては、予め放送信号の存在する局有りチャンネルを記憶しておき、その記憶内容に基づいて選局させるいわゆるオートプリセット機能が備えられている。
【００３０】
図２に示すように通常のチャンネルプランでは、あるチャンネル番号以降（例えばチャンネル１４以降）にて放送形態が異なると同じチャンネル番号に対する周波数が異なり、該当する放送局も一般には同一であるとは言えない。さらに、ケーブルテレビ放送の各チャンネルに対応する放送周波数帯には、地上波放送に存在しない放送周波数帯も存在する。例えば、同図において、ケーブルテレビ放送のチャンネル１４〜６５の放送周波数帯１２１．２５〜４６９．２５ＭＨｚは地上波放送には割り当てられていない。
【００３１】
すなわち、本実施例においては、地上波放送が所定の搬送周波数が割り当てられた第１の放送形態に相当し、ケーブルテレビ放送が第１の放送形態に割り当てられた各搬送周波数を含むとともに同第１の放送形態に割り当てられていない特定周波数帯域にも搬送周波数が割り当てられた第２の放送形態に相当する。また、特定周波数帯はケーブルテレビ放送のチャンネル１４〜６５の放送周波数帯１２１．２５〜４６９．２５ＭＨｚに相当するが、本実施例おいては、地上波放送に存在しない放送周波数帯のうち、特にケーブルテレビ放送の１３ｃｈ〜３５ｃｈ（約１２０ＭＨｚ〜３００ＭＨｚ）を特定周波数帯域とする。
【００３２】
また、上述したオートプリセットを行うにあたっては、リモコン５０の図示しない操作ボタンを押し下げるなどしてオートプリセットを指示する。すると、同様にしてリモコン５０から赤外線リモコン信号が送出され、マイコン２０が検知して後述するフローチャートに従ってオートプリセット処理を実行する。したがって、本実施形態においてはチューナ１０およびマイコン２０が、受信可能な周波数をサーチする周波数サーチ手段を構成する。
【００３３】
（３）スプリアス算出および判定の方法について： 
特定周波数帯域において、都市部などの出力の高い強電界局の存在する地域で地上波放送を受信している場合、放送信号レベルの信号を受信する場合がある。これは、チューナ１０にて強電界局の放送信号を受信したときに、チューナ１０内部で電圧波形に歪みが発生し、この歪みに由来して正規の周波数帯以外の高調波成分などのスプリアスが発生し、チューナ１０が同スプリアスの周波数帯でも受信してしまうためである。
【００３４】
このようなスプリアスとしては、高調波、低調波、和信号、差信号などが考えられるが、一般に低調波や差信号は高調波や和信号より弱めである。従って、本実施例においては高調波と和信号のみを計算し、同計算の結果を受信した放送信号の周波数と比較することにより、特定周波数帯にて受信した信号がスプリアスか否かを判断する。
【００３５】
また、各チャンネルに対応する周波数帯には、映像信号を搬送する映像搬送波（ｆｐ）と、音声信号を搬送する音声搬送波（ｆｓ）とが存在する。本実施例において、和信号を計算するにあたっては、映像搬送波に比べて音声搬送波は強度が低くなっているため、映像搬送波同士の和信号および映像搬送波と音声搬送波の和信号は計算するが、音声搬送波同士の和信号は計算しないこととする。すなわち映像信号の周波数により生じるスプリアス周波数と、映像信号の周波数と音声信号の周波数とにより生じるスプリアス周波数とを算出するとともに、音声信号の周波数により生じる和差スプリアス周波数は算出しない。これによりマイコン２０の処理が低減して好適であるが、むろん、低調波や差信号、音声搬送波同士のスプリアスも計算しても構わない。
【００３６】
図３に、スプリアスをどのように判断するかを説明する図を示した。同図においては、周波数をサーチしたサーチ結果１およびサーチ結果２と、サーチ結果に基づいてスプリアスを計算した算出スプリアスが模式的に示してある。上述したようにスプリアスとして高調波と和信号のみを算出することとしたため、算出スプリアスの算出には、地上波放送にもケーブルテレビ放送にも放送が存在するとともに特定周波数帯域よりも低い周波数であるＶＨＦ帯が使用される。そこで、各サーチ結果から高調波と和信号とが計算されるとともにその計算結果のうち約１２０ＭＨｚ〜３００ＭＨｚに相当する周波数が算出スプリアスとされる。また、サーチ結果１およびサーチ結果２のＶＨＦ帯にて検出される周波数を便宜上同一としてある為、算出されるスプリアスはサーチ結果１に対してもサーチ結果２に対しても同一のものと成る。
【００３７】
図３におけるサーチ結果１は、ＶＨＦ帯において、Ａ局（ｆｐＡ、ｆｓＡ）と、Ｂ局（ｆｐＢ、ｆｓＢ）と、Ｃ局（ｆｐＣ、ｆｓＣ）とを受信し、特定周波数帯域においてｆ１とｆ２とｆ３の周波数において放送信号を受信している。Ａ〜Ｃ局のｐを付した周波数は映像信号であり、ｓを付した周波数は音声信号とする。また、サーチ結果２はＶＨＦ帯においてはサーチ結果１と同じくＡ〜Ｃ局を受信し、特定周波数帯域においてはｆ４とｆ５とｆ６の周波数において放送信号を受信している。さらに、算出スプリアスは上記Ａ〜Ｃ局の周波数より算出され、そのうち特定周波数帯域に該当する周波数はｆ１，ｆ２，ｆ３となっている。すなわち同図において、サーチ結果１は、特定周波数帯域においてスプリアスを受信している可能性があり、サーチ結果２は特定周波数帯域においてスプリアスを受信していないと言える。
【００３８】
具体的には、ＶＨＦ帯に上記Ａ〜Ｃ局が存在する場合、上述した算出法によってスプリアスを算出すると、高調波がｆｐＡ，３ｆｐＡ，４ｆｐＡ，２ｆｐＢ，３ｆｐＢ，４ｆｐＢ，２ｆｐＣ，３ｆｐＣ，４ｆｐＣ，・・・となり、和信号がｆｐＡ＋ｆｐＢ，ｆｐＡ＋ｆｐＣ，ｆｐＢ＋ｆｐＣ，ｆｐＡ＋ｆｓＢ，ｆｐＡ＋ｆｓＣ，ｆｐＢ＋ｆｓＡ，ｆｐＢ＋ｆｓＣ，ｆｐＣ＋ｆｓＡ，ｆｐＣ＋ｆｓＢ，・・・となる。
【００３９】
さらに、特定周波数帯域においてスプリアスを受信している可能性のあるサーチ結果１の場合は、算出スプリアスと周波数が一致した周波数の信号について、信号強度にて放送信号の有無を判断する。つまり、スプリアスは基本周波数の歪み成分であり、スプリアスの発生する基本周波数は強電界局に由来しているため、本実施例における基本周波数成分のＡ〜Ｃ局の信号よりも大幅に弱い信号であるため、信号強度の比較によりスプリアスと真の放送信号とを判断する。
【００４０】
具体的には、特定周波数帯域の放送信号を受信しているときにＡＧＣ回路１８より出力されるＲＦ−ＡＧＣ電圧またはＩＦ−ＡＧＣ電圧と、ＶＨＦ帯の放送信号を受信しているときにＡＧＣ回路１８より出力されるＲＦ−ＡＧＣ電圧またはＩＦ−ＡＧＣ電圧とを比較し、特定周波数帯域の放送信号がＶＨＦ帯の放送信号に比べ、大幅に増幅されていればスプリアスであると言える。
【００４１】
また、信号強度の判断は、ＡＧＣ回路１８をマイコン２０が制御して、ＡＧＣの利得を下げることにより判断しても構わない。つまり、ＡＧＣ回路１８を制御することにより、チューナ１０または中間周波増幅回路１２における増幅率を低下させ、ＶＨＦ帯の放送信号が受信されつつ特定周波数帯域の放送信号が受信不可能となれば、スプリアスであると言える。
【００４２】
（４）オートプリセットを行うマイコンの処理： 
以上説明したテレビジョン放送受信装置１００の構成により、オートプリセット処理が実行される。図４を参照して、オートプリセットを行うマイコン２０の処理を説明する。マイコン２０には、当該処理を実行させるための制御プログラムが記憶されており、ＣＰＵ２０ａが同制御プログラムに基づいて処理を実行する。同図には処理をフローチャートにて示してある。なお、本実施形態においては、地上波放送およびケーブルテレビ放送の全局の搬送周波数がチャンネルデータテーブルＴ１に予め記憶されており、以下の処理を行うことにより各搬送周波数において受信可能なテレビ電波の存否が検証される。そして受信可能なテレビ電波が存在すると検証された搬送周波数についてのデータのみチャンネルデータテーブルＴ１に残存させる処理を行う。
【００４３】
リモコン５０の図示しない操作ボタンを押し下げるなどしてオートプリセットが指示されると、まず、ステップＳ１０にてＲＯＭ２０ｂに記憶された各搬送周波数に対して、地上波放送とケーブルテレビ放送とに関わらず、周波数が小さい順に選局同調を試みるチャンネルサーチを行う。そして、チャンネルサーチによって発見された安定して受信できる放送局の搬送周波数の情報をＲＡＭ２０ｃや半導体メモリ２２のワークエリアに記憶する。
【００４４】
ステップＳ１２では、ステップＳ１０のチャンネルサーチによって発見された安定して受信できる放送局の中に、特定周波数帯域に該当する搬送周波数（ｆｘとする）のチャンネルが存在するか否かを判断する。そして、該当するチャンネルが存在する場合は条件成立としてステップＳ１４に進む。一方、該当するチャンネルが存在しない場合は条件不成立としてステップＳ２６に進み、地上波放送のチャンネルデータ２０ｂ１に基づいてチャンネル番号と搬送周波数とを関連付けてチャンネルデータテーブルＴ１に記憶させることによりオートプリセットを行い、当該処理を終了する。
【００４５】
ステップＳ１２で条件成立となりステップＳ１４に進むと、チャンネルサーチによって発見された放送局のうちＶＨＦ帯の放送局の搬送周波数からスプリアスと成りうる可能性のある周波数であるところの算出スプリアス（ｆｙ）を算出し、ＲＡＭ２０ｃや半導体メモリ２２のワークエリアに記憶してステップＳ２０に進む。
【００４６】
ステップＳ２０では、特定周波数帯域に該当する搬送周波数ｆｘのうち、まだ算出スプリアスｆｙと比較していない搬送周波数を、ｆｙと比較する。比較したｆｘが、ｆｙのいずれとも一致しないときは不一致であるとしてステップＳ２８に進み、ケーブルテレビ放送のチャンネルデータ２０ｂ２に基づいてチャンネル番号と搬送周波数とを関連付けてチャンネルデータテーブルＴ１に記憶させることによりオートプリセットを行い、当該処理を終了する。一方、比較したｆｘが、ｆｙのいずれかと一致したときはステップＳ２２に進む。ｆｘをｆｙと比較したか否かを示す情報は、ステップＳ２０にて比較した搬送周波数の情報をＲＡＭ２０ｃや半導体メモリ２２のワークエリアに記憶すればよい。
【００４７】
ステップＳ２２では、ステップＳ２０にて比較されたｆｘの信号強度が十分であるか否かを判断する。すなわち、ステップＳ２０にて一致した周波数の信号強度によって放送信号の有無を判断する。判断の方法としては、上述したＲＦ−ＡＧＣ電圧またはＩＦ−ＡＧＣ電圧と、ＶＨＦ帯の放送信号を受信しているときにＡＧＣ回路１８より出力されるＲＦ−ＡＧＣ電圧またはＩＦ−ＡＧＣ電圧とを比較する方法や、ＡＧＣ回路１８をマイコン２０で制御して、ＡＧＣの利得を下げることにより判断する方法、などが採用可能である。信号強度が十分であると判断したときは条件成立としてステップＳ２４に進み、ケーブルテレビ放送のチャンネルデータ２０ｂ２に基づいてチャンネル番号と搬送周波数とを関連付けてチャンネルデータテーブルＴ１に記憶させることによりオートプリセットを行い、当該処理を終了する。一方信号強度が不十分である場合は、条件不成立としてステップＳ３０に進む。
【００４８】
ステップＳ３０では、特定周波数帯域に該当する搬送周波数ｆｘの全てを算出スプリアスｆｙと比較したか否かを判断する。全てのｆｘについて比較が終了されていないとき、すなわちステップＳ２０で全てのｆｘが比較されていないときは、条件不成立としてステップＳ２０からの処理を繰り返す。一方、全てのｆｘが算出スプリアスと比較されている、すなわちステップＳ２０で全てのｆｘが比較済みであるときは、条件成立としてステップＳ３２に進み、地上波放送のチャンネルデータ２０ｂ１に基づいてチャンネル番号と搬送周波数とを関連付けてチャンネルデータテーブルＴ１に記憶させることによりオートプリセットを行い、当該処理を終了する。
【００４９】
以上より、ステップＳ１４の処理を実行するマイコン２０が上記周波数サーチ手段にて受信可能とされた周波数を基にスプリアス周波数を算出するスプリアス算出手段を構成し、ステップＳ２０の処理を実行するマイコン２０が上記スプリアス周波数と上記受信可能とされた周波数とを上記特定周波数帯域において比較する周波数比較手段を構成し、ステップＳ２２の処理を実行するマイコン２０が上記周波数比較手段にて周波数が一致した周波数を仮受信して放送信号の有無を判断する局有無判断手段を構成する。
【００５０】
また、ステップＳ１０〜２２、Ｓ３０，Ｓ３２の処理を実行するマイコン２０が上記特定周波数帯域におけるスプリアスにて放送形態を判断する放送形態判断手段を構成し、ステップＳ２４、２６，２８の処理を実行するマイコン２０が上記放送形態判断手段にて判断された放送形態に基づいてチャンネル情報を設定する局設定手段を構成する。  
【００５１】
（５）まとめ： 
つまり、受信可能な周波数をサーチし、サーチにより受信可能とされた周波数を基にスプリアス周波数を算出し、スプリアス周波数と受信可能とされた周波数とをケーブルテレビ放送にしか存在しない搬送周波数の領域である特定周波数帯域において比較し、周波数が一致した周波数を仮受信して放送信号の有無を判断する。
【００５２】
以上説明したように、本実施例に対応する放送形態判断装置では、所定の搬送周波数が割り当てられた第１の放送形態と、同第１の放送形態に割り当てられた各搬送周波数を含むとともに同第１の放送形態に割り当てられていない特定周波数帯域にも搬送周波数が割り当てられた第２の放送形態とに対応し、所望周波数の信号を受信可能な放送形態判断装置において、受信可能な周波数をサーチする周波数サーチ手段と、上記第１の放送形態と上記第２の放送形態のチャンネル情報が記憶されたチャンネル情報記憶手段と、スプリアスとなる可能性のある周波数であるスプリアス周波数を上記周波数サーチ手段のサーチ結果に基づいて上記特定周波数帯において算出するスプリアス算出手段と、上記スプリアス周波数の中に上記周波数サーチ手段のサーチ結果と一致する周波数が無い場合は受信中の放送形態を上記第２の放送形態と判断し、上記スプリアス周波数の中に上記周波数サーチ手段のサーチ結果と一致する周波数が有り且つ該周波数の信号強度が所定の閾値以下の場合は受信中の放送形態を上記第１の放送形態と判断し、上記スプリアス周波数の中に上記周波数サーチ手段のサーチ結果と一致する周波数が有り且つ該周波数の信号強度が所定の閾値より大きい場合は受信中の放送形態を上記第２の放送形態と判断する放送形態判断手段と、上記放送形態判断手段にて判断された放送形態に対応する上記チャンネル情報に基づいてチャンネル情報を設定する局設定手段とを備える構成としてある。
該構成において、周波数サーチ手段は、複数の放送形態にて送信される放送信号を受信可能になっており、各放送形態の搬送周波数に順に同調させつつ受信可能な周波数の有無を検出可能となっている。チャンネル情報記憶手段には、上記第１の放送形態と上記第２の放送形態のチャンネル情報が記憶され、同チャンネル情報としてはチャンネル番号や搬送周波数、ＲＦ−ＡＧＣ電圧、ＩＦ−ＡＧＣ電圧等の情報と、それぞれの対応関係などとなる。放送形態判断手段は特定周波数帯域における受信可能な周波数の有無やスプリアスの有無にて放送形態を判断するものである。スプリアスとしては高調波、低調波、和信号、差信号、などであり、放送信号の歪み成分に由来するものである。局設定手段では上記放送形態判断手段にて判断された放送形態に基づいて、上記受信可能な周波数のうち放送形態に合致するものをチャンネル情報としてテレビジョン放送受信装置に設定する。
これにより、強電界局が存在する地域で地上波放送を受信しても、チューナ部などにて生じるスプリアスによってケーブルテレビ放送を受信していると誤判断されることが無くなり、受信情報がより正確な放送形態判断装置提供することが可能となる。これにより、プリセットが正確に行えるようになるため、プリセットされたチャンネルの整理などをする必要が無くなり、ユーザの利便性が向上する。
【００５３】
また、上記放送形態判断手段は、上記周波数サーチ手段にて受信可能とされた周波数を基にスプリアス周波数を算出するスプリアス算出手段と、上記スプリアス周波数と上記受信可能とされた周波数とを上記特定周波数帯域において比較する周波数比較手段と、上記周波数比較手段にて周波数が一致した周波数を仮受信して放送信号の有無を判断する局有無判断手段と、を備え、いずれの放送形態であるかを判断する構成としてもよい。
すなわち、スプリアス算出手段は、上記周波数サーチ手段にて受信可能とされた周波数を基にスプリアス周波数を算出する。算出の方法としては、上記受信可能とされた周波数のうち、高調波については特定周波数帯域よりも低い周波数をもとに整数倍することにより求め、低調波については特定周波数帯域よりも高い周波数を元に整数分の１倍することにより求め、和信号と差信号は受信可能とされた周波数と高調波と低調波とを組み合わせてそれぞれ和と差とを取ったものである。周波数比較手段は算出された上記スプリアス周波数と上記受信可能とされた周波数とを比較し、一致するものが無ければ特定周波数領域に放送信号が存在するものとして放送形態判断手段にて放送形態が判断される。一方で一致するものがあるときは、局有無判断手段が上記周波数比較手段にて周波数が一致した周波数を仮受信して同周波数に放送信号が存在するか否かを判断する。これにより放送形態をより適切に判断することによって、不要な選局動作を省くことが出来る。
【００５４】
また、上記局有無判断手段は、上記周波数が一致した周波数の信号強度にて放送信号の有無を判断する構成としてもよい。
信号強度を表す情報としては、例えば、ＡＧＣ回路などのゲインコントロールを行う際に生成されるＡＧＣ電圧等から得ることが可能である。むろん、ＡＧＣ回路などにて信号のゲインコントロールを行い、信号強度が所定の閾値以下の信号をスプリアスと判断しても構わない。これにより、スプリアスのみならず信号強度によっても判断する為、放送形態をより適切に判断することが可能となり、余分な選局動作を省くことが出来る。
【００５５】
また、上記周波数サーチ手段にて検出された受信可能とされた周波数のうち、上記特定周波数帯域よりも低い周波数のスプリアス周波数を算出する構成としてもよい。
該構成において、スプリアス算出手段は上記特定周波数帯域よりも低い周波数を元にスプリアス周波数を算出する。すなわち、低い周波数を元に計算するため、特定周波数帯域に合致するスプリアス周波数は高調波や和信号が主となる。つまり、スプリアス周波数は一般に低調波や差信号は高調波や和信号よりも弱くなる傾向があるため低調波や差信号は計算せず、高調波と和信号だけをスプリアス周波数としても本発明の目的を達することが可能である。これにより低調波と差信号のスプリアスを算出する必要が無くなる。
【００５６】
また、上記スプリアス算出手段は、上記周波数サーチ手段にて検出された受信可能とされた周波数のうち、映像信号の周波数により生じるスプリアス周波数を算出する構成としてもよい。
すなわち、放送信号には映像信号と音声信号とが存在するが、映像信号に比べて音声信号は信号強度が弱い為、映像信号が元になるスプリアス周波数のみを上記スプリアス周波数とする構成とした。これにより映像信号に由来しないスプリアス周波数を計算する必要が無くなる。
【００５７】
また、上記スプリアス算出手段は、上記周波数サーチ手段にて検出された受信可能とされた周波数のうち、映像信号の周波数と音声信号の周波数とにより生じるスプリアス周波数を算出する構成としてもよい。
すなわち、映像信号と音声信号とが元と成るスプリアス周波数を算出することを明確にした。
【００５８】
また、上記スプリアス算出手段は、上記周波数サーチ手段にて検出された受信可能とされた周波数のうち、音声信号の周波数により生じる和差スプリアス周波数は算出しない構成としてもよい。
すなわち、音声信号同士により生じる和差スプリアス周波数は算出しないことを明確にした。以上のように、算出するべきスプリアスを限定することにより、限定する以前と同等の効果を得られる為、スプリアス算出およびスプリアスとの比較に要する処理を少なくすることができる。
【００５９】
以上の構成を踏まえた上で、より具体的な構成例として、地上波放送と、同地上波放送に割り当てられた各搬送周波数を含むとともに同地上波放送に割り当てられていない特定周波数帯域にも搬送周波数が割り当てられたケーブルテレビ放送とに対応し、所望周波数の信号を受信して視聴可能なテレビジョン放送受信装置において、地上波放送の放送信号が入力されるアンテナと、ケーブルテレビ放送の放送信号が入力される同軸ケーブルと、上記アンテナと同軸ケーブルとのいずれかから入力される放送信号を所望の搬送周波数に同調させつつ選局して中間周波信号を出力するチューナと、上記中間周波信号の信号強度に応じたＡＧＣ電圧を取得し、同ＡＧＣ電圧に基づく増幅率によって同中間周波信号を増幅する中間周波増幅回路と、増幅された中間周波信号に基づいて上記ＡＧＣ電圧を出力するＡＧＣ回路と、選局が可能なチャンネル番号と搬送周波数とが対応付けられて記憶される半導体メモリと、所定の信号制御処理を実行するとともに、Ａ／Ｄポートを介して上記ＡＧＣ電圧をデジタル信号として入力され、上記地上波放送と上記ケーブルテレビ放送のチャンネルプランが記憶されるマイコンとを備え、上記マイコンは、上記搬送周波数のそれぞれに対して選局同調を試みるチャンネルサーチを行い、上記チャンネルサーチによって発見された放送局のうちＶＨＦ帯の放送局の搬送周波数から算出スプリアスを算出し、上記チャンネルサーチによって発見された安定して受信できる放送局の中に上記特定周波数帯域に該当する搬送周波数のチャンネルが存在するか否かを判断し、該当するチャンネルが存在しない場合は地上波放送を受信していると判断し、上記地上波放送のチャンネルプランに基づいて上記半導体メモリにチャンネル番号と搬送周波数とを記憶させ、該当するチャンネルが存在する場合は上記算出スプリアスと一致するか否かを判断し、いずれの算出スプリアスにも一致しないときはケーブルテレビ放送を受信していると判断し、上記ケーブルテレビ放送のチャンネルプランに基づいて上記半導体メモリにチャンネル番号と搬送周波数と記憶させ、いずれかの算出スプリアスに一致するときは上記ＡＧＣ電圧に基づいて放送信号の強度を判断し、信号強度が十分である場合はケーブルテレビ放送のチャンネルプランに基づいてチャンネル番号と搬送周波数と上記半導体メモリに記憶させ、信号強度が不十分である場合は地上波放送のチャンネルプランに基づいてチャンネル番号と搬送周波数とを上記半導体メモリに記憶させる構成としてもよい。
【００６０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００６１】
【図１】本発明の第一の実施形態にかかる放送形態判断装置を適用したテレビジョン放送受信装置の概略ブロック図である。
【図２】地上波放送とケーブルテレビ放送のチャンネルプランである。
【図３】スプリアスをどのように判断するかを説明する図である。
【図４】オートプリセットを行うマイコンの処理を説明するフローチャートである。
【符号の説明】
【００６２】
１０…チューナ
１０ａ…Ｕ／Ｖアンテナ
１０ｂ…同軸ケーブル
１２…中間周波増幅回路
１４…映像検波回路
１６…映像信号処理回路
１８…ＡＧＣ回路
２０…マイコン
２０ａ…ＣＰＵ
２０ｂ…ＲＯＭ
２０ｂ１、２０ｂ２…チャンネルデータ
２０ｃ…ＲＡＭ
２０ｄ…バス
２０ｅ…Ａ／Ｄポート
２２…半導体メモリ
Ｔ１…チャンネルデータテーブル
３０…リモコン
１００…テレビジョン放送受信装置
【図１】
0004400747.tif 000002
【図２】
0004400747.tif 000003
【図３】
0004400747.tif 000004
【図４】
0004400747.tif 000005